(57)【要約】【課題】  パターンの描画によりコマンドの入力を可能にするとともに、その入力を支援する。【解決手段】  ＬＣＤの表示面上に所定のパターンを描画したとき、その描画されたパターンと、あらかじめ登録してあるパターンのうちの１つのパターンとのマッチングを判別するステップ４０４を設ける。所定のパターンを描画しているとき、この描画しているパターンから予測されるパターンを、あらかじめ登録してあるパターンの中から判別するステップ４０６を設ける。ステップ４０６が、あらかじめ登録してあるパターンの中から予測されるパターンを判別したとき、その判別したパターンを表示面に表示する（ステップ４０７）。ステップ４０４が、あらかじめ登録してあるパターンの中からの描画されたパターンを判別したとき、その判別したパターンを表示面に表示するとともに、その判別したパターンに対応する信号を出力する（ステップ４０４）。【選択図】        図６
2005038306.tif 000002
【特許請求の範囲】
【請求項１】
ユーザが所定の入力パターンを描画入力するための入力手段と、
所定の登録パターンと、この登録パターンに割り当てられた制御信号とを記憶する記憶手段と、
上記入力パターンと上記登録パターンとのマッチングを判別するマッチング判定手段と、
このマッチング判定に関する所定の情報を表示する表示手段と
を有し、
上記マッチング判定手段は、上記入力パターンの描画入力中において、判別された登録パターンに基づいて描画入力の教示情報を上記表示手段に表示させるとともに、
上記入力パターンの描画入力の完了時において、判別された登録パターンに割り当てられた制御信号を出力する
ようにした描画パターン認識装置。
【請求項２】
請求項１に記載の描画パターン認識装置において、
上記記憶手段は、複数の登録パターンと、この複数の登録パターンにそれぞれ対応する複数の制御信号とを記憶する
ようにした描画パターン認識装置。
【請求項３】
請求項１または請求項２に記載の描画パターン認識装置において、
上記入力手段は、上記表示手段の表示画面上に積層されている
ようにした描画パターン認識装置。
【請求項４】
請求項１から請求項３までのいずれかの請求項に記載の描画パターン認識装置において、
上記表示手段は、上記描画入力中に判別された登録パターンを教示情報として表示する構成である
ようにした描画パターン認識装置。
【請求項５】
請求項１から請求項４までのいずれかの請求項に記載の描画パターン認識装置において、
上記表示手段は、さらに上記入力パターンを表示するとともに、
上記教示情報と上記入力パターンとを異なる表示形式で表示する
ようにした描画パターン認識装置。
【請求項６】
請求項１から請求項５までのいずれかの請求項に記載の描画パターン認識装置において、
上記マッチング判定手段が上記入力パターンにマッチングする登録パターンを判別しなかった場合に、ユーザに制御信号の選択を入力させる代替入力手段を有する
ようにした描画パターン認識装置。
【請求項７】
請求項１から請求項５までのいずれかの請求項に記載の描画パターン認識装置において、
新たな登録パターンを記憶させる指示があった場合に、上記入力手段に描画入力された入力パターンを、新たな登録パターンとして上記記憶手段に記憶させる登録手段を有する
ようにした描画パターン認識装置。
【請求項８】
請求項１から請求項５までのいずれかの請求項に記載の描画パターン認識装置において、
上記マッチング判定手段が上記入力パターンにマッチングする登録パターンを判別しなかった場合に、ユーザに制御信号の選択を入力させる代替入力手段と、
上記入力パターンを新たな登録パターンとして特定し、上記選択された制御信号を当該新たな登録パターンに対応づけて上記記憶手段に記憶させる登録手段と
を有する描画パターン認識装置。
【請求項９】
請求項１から請求項８までのいずれかの請求項に記載の描画パターン認識装置と、
このパターン認識装置より出力された制御信号を制御対象装置に対して送信する送信手段と
を有する遠隔操作装置。
【請求項１０】
ユーザに所定のパターンを描画入力させる入力ステップと、
上記描画入力中において、上記入力パターンと、所定の制御信号があらかじめ対応づけられて記憶された登録パターンとのマッチングを判別し、判別された登録パターンに基づいて描画入力の教示情報を所定の表示手段に表示させる入力教示ステップと、
描画入力完了時において、判別された登録パターンに割り当てられた制御信号を出力するマッチング判定結果出力ステップと
を有する描画パターン認識方法。
【請求項１１】
請求項１０に記載の描画パターン認識方法において、
上記マッチング入力教示ステップと、マッチング判定結果出力ステップとの少なくとも一方のステップにおいて、上記入力パターンにマッチングする登録パターンが判別されなかった場合に、ユーザに制御信号の選択を入力させる代替入力ステップを
有する描画パターン認識方法。
【請求項１２】
請求項１１に記載の描画パターン認識方法において、
上記入力パターンを新たな登録パターンとして特定し、代替入力ステップで選択された制御信号を当該新たな登録パターンに対応づけて記憶させる登録ステップを
有する描画パターン認識方法。
【発明の詳細な説明】
【技術分野】
【０００１】
この発明は、描画パターン認識装置、描画パターン認識方法および遠隔操作装置に関する。
【背景技術】
【０００２】
映像表示システムとして各種のものが考えられているが、その一例を図１により説明すると、以下のとおりとされている。すなわち、この映像表示システムは、ベース装置（ベースステーション）１００と、大画面表示装置２００と、可搬型表示装置３００とから構成される。ベース装置１００には、内蔵のチューナ回路や外部映像機器などにより各種のビデオ信号およびオーディオ信号が供給される。そして、ベース装置１００は、その供給された信号のうち、ユーザの指定した信号を選択して大画面表示装置２００および可搬型表示装置３００に供給する。
【０００３】
また、大画面表示装置２００は、その表示部２０１が例えば大型のプラズマディスプレイにより構成されるとともに、スピーカ２０２を有する。そして、大画面表示装置２００には、ベース装置１００から出力されるビデオ信号およびオーディオ信号がケーブル２１０を通じて供給される。
【０００４】
さらに、可搬型表示装置３００は、その表示部が例えばＬＣＤ３０５により構成されるとともに、スピーカ３０７を内蔵している。また、可搬型表示装置３００は、その電源は内蔵の充電式電池（図示せず）とされるとともに、ベース装置１００から出力されるビデオ信号およびオーディオ信号は、無線により可搬型表示装置３００に供給される。
【０００５】
さらに、可搬型表示装置３００はベース装置１００をリモコン（遠隔操作）するための送信機としての機能をも有する。このため、可搬型表示装置３００の表示画面はタッチパネルとされ、リモコン時には、その表示画面にベース装置１００をリモコンするための操作ボタン表示される。そして、その操作ボタンのどれかに指やタッチペンなどで触れると、対応するリモコン信号が形成され、このリモコン信号がベース装置１００に送信されてベース装置１００の動作モードなどがリモコンされる。
【０００６】
したがって、この映像表示システムによれば、ベース装置１００に供給されたビデオ信号のうち、任意のビデオ信号の映像を大画面表示装置２００により大画面で見ることができる。また、このとき、裏番組などの他のコンテンツを可搬型表示装置３００により手元で見ることもできる。さらに、可搬型表示装置３００自体をベース装置１００に対するリモコンの送信機として使用できる（特許文献１参照）。
【特許文献１】特開２００２−３４０２３号公報
【発明の開示】
【発明が解決しようとする課題】
【０００７】
ところが、上述のように、可搬型表示装置３００の表示画面に操作ボタンを表示し、いずれかの操作ボタンに触れたら、対応するリモコンが行われるようにした場合には、ベース装置１００の機能が増えると、操作ボタンの数が多くなるので、操作ボタンに適切に触れることが困難になったり、誤った操作ボタンに触れたりしてしまう。
【０００８】
また、操作ボタン自体の表示により表示画面が覆い尽くされ、例えば映像の切り換えや調整など映像を見ながら操作をするとき、その操作を妨げるものとなってしまう。
【０００９】
この発明は、このような問題点を解決するとともに、ユーザにとって使いやすいリモコンの操作手段ないし方法を提供しようとするものである。
【課題を解決するための手段】
【００１０】
この発明においては、
ユーザが所定の入力パターンを描画入力するための入力手段と、
所定の登録パターンと、この登録パターンに割り当てられた制御信号とを記憶する記憶手段と、
上記入力パターンと上記登録パターンとのマッチングを判別するマッチング判定手段と、
このマッチング判定に関する所定の情報を表示する表示手段と
を有し、
上記マッチング判定手段は、上記入力パターンの描画入力中において、判別された登録パターンに基づいて描画入力の教示情報を上記表示手段に表示させるとともに、
上記入力パターンの描画入力の完了時において、判別された登録パターンに割り当てられた制御信号を出力する
ようにした描画パターン認識装置
とするものである。  
【発明の効果】
【００１１】
この発明によれば、ユーザの入力した軌跡をリアルタイムで画面に表示することができる。また、ユーザが入力しようとしているパターンを、入力途中の軌跡から予測することにより望ましい軌跡を表示してユーザにフィードバックすることができる。
【００１２】
また、軌跡の入力が終了した後に、ユーザの入力軌跡と望ましい軌跡との両方を表示してユーザの参考とすることもできる。さらに、入力した軌跡が不適切などの理由で受け付けられない場合、ユーザへの支援として標準のパターンを表示したり、代替入力手段を提供したり、あるいは入力が容易なパターンを登録したりすることができるので、ユーザにとって軌跡の入力が容易になり、また、入力ミスを減らすことができる。
【発明を実施するための最良の形態】
【００１３】
(1) 映像表示システムの全体の構成例
図１は、この発明を適用した映像表示システムの一例を全体として示す。すなわち、この映像表示システムは、ベース装置（ベースステーション）１００と、大画面表示装置２００と、可搬型表示装置３００とから構成される。ベース装置１００には、内蔵のチューナ回路、ＤＶＤプレーヤなどの外部映像機器、ネットワークなどを通じて各種のビデオ信号およびオーディオ信号が供給される。
【００１４】
そして、ベース装置１００は、その供給された信号のうち、ユーザの指定した信号を選択して大画面表示装置２００および可搬型表示装置３００に供給する。なお、このとき、大画面表示装置２００および可搬型表示装置３００に供給される信号は、同一でもよく、あるいは異なっていてもよい。
【００１５】
また、大画面表示装置２００は、その表示部２０１が例えば大型のプラズマディスプレイにより構成されるとともに、スピーカ２０２を有する。そして、大画面表示装置２００には、ベース装置１００から出力されるビデオ信号およびオーディオ信号がケーブル２１０を通じて供給される。
【００１６】
さらに、可搬型表示装置３００は、その表示部が例えばＬＣＤ３０５により構成されるとともに、スピーカ３０７を内蔵している。また、可搬型表示装置３００は、その電源は内蔵の充電式電池（図示せず）とされるとともに、ベース装置１００から出力されるビデオ信号およびオーディオ信号は、無線により可搬型表示装置３００に供給される。
【００１７】
さらに、可搬型表示装置３００はベース装置１００をリモコン（遠隔操作）するための送信機としての機能も有する。このため、可搬型表示装置３００の表示画面にはタッチパネルが積層され、リモコン時には、指やタッチペンなどにより可搬型表示装置３００のタッチパネル（表示画面）に所定のパターン（文字や記号など）を描くと、そのパターンが認識されて対応するリモコンのコマンド信号が形成され、このコマンド信号がベース装置１００に送信されてベース装置１００の動作モードなどがリモコンされる。なお、ベース装置１００と可搬型表示装置３００との間の信号の送受信は、電波を用いて例えばIEEE802.11方式のプロトコルにより行われる。
【００１８】
したがって、この映像表示システムによれば、ベース装置１００に供給されたビデオ信号およびオーディオ信号のうち、任意の信号によるコンテンツを大画面表示装置２００により大画面で視聴することができる。また、このとき、裏番組などの他のコンテンツを可搬型表示装置３００により手元で視聴することもできる。しかも、可搬型表示装置３００自体をベース装置１００に対するリモコンの送信機として使用でき、リモコンの送信機を別に用意する必要がないので、手元がすっきりする。
【００１９】
さらに、大画面表示装置２００に表示されている画面と、可搬型表示装置３００に表示されている画面とを交換したり、可搬型表示装置３００に表示されている画面を大画面表示装置２００にも表示したり、あるいは大画面表示装置２００に表示されている画面を可搬型表示装置３００にも表示したりすることもできる。そして、それらの操作を可搬型表示装置３００からリモコンにより実行することができる。
【００２０】
(2) ベース装置１００の構成例
図２は、ベース装置１００の一例を示し、これはシステム制御用としてマイクロコンピュータ１３０を有する。このマイクロコンピュータ１３０は、各種のプログラムを実行するＣＰＵ１３１と、そのプログラムの書き込まれているＲＯＭ１３２と、ワークエリア用のＲＡＭ１３３とを有し、これらメモリ１３２、１３３はシステムバス１３９を通じてＣＰＵ１３１に接続されている。
【００２１】
さらに、マイクロコンピュータ１３０は、不揮発性メモリ１３４と、グラフィックコントロール回路１３５とを有し、これらもバス１３９に接続されている。この場合、メモリ１３４は、ベース装置１００の電源をオフにしたときでも、必要なデータを保持しておくためのものである。また、グラフィックコントロール回路１３５は、図示はしないが、ビデオＲＡＭおよびＤ／Ａコンバータ回路などを有し、このマイクロコンピュータ１３０が処理した静止画や動画あるいはテキストファイルなどのデジタルデータを表示用のビデオ信号に変換して出力するものである。
【００２２】
そして、テレビ放送の放送波信号がアンテナ１０１により受信されてチューナ回路１０２に供給されるとともに、マイクロコンピュータ１３０から所定の選局信号がチューナ回路１０２に供給され、チューナ回路１０２からは任意のチャンネルのビデオ信号およびオーディオ信号が取り出され、この取り出された信号がセレクタ回路１０５に供給される。また、同様にしてチューナ回路１０３からも任意のチャンネルのビデオ信号およびオーディオ信号が取り出され、セレクタ回路１０５に供給される。
【００２３】
さらに、ＤＶＤプレーヤなどの外部映像機器（図示せず）からビデオ信号およびオーディオ信号が取り出され、これら信号がライン入力端子１０４を通じてセレクタ回路１０５に供給される。また、ＬＡＮケーブル１２１が、ジャック１４１およびアクセスコントローラ１４２を通じてバス１３９に接続される。なお、ＬＡＮケーブル１２１は、図示はしないが、ルータなどを通じて外部のネットワーク、例えばインターネットに接続される。
【００２４】
また、グラフィックコントロール回路１３５からのビデオ信号もセレクタ回路１０５に供給される。さらに、ライン入力端子１０４に接続された外部映像機器をリモコンするため、バス１３９にはリモコン信号形成回路１４３が接続される。そして、外部映像機器をリモコンするときには、そのリモコンのための信号が形成回路１４３から例えば赤外線ＬＥＤ１４４に供給され、その外部映像機器にリモコン用の赤外線光が出力される。
【００２５】
さらに、マイクロコンピュータ１３０によりセレクタ回路１０５が制御され、セレクタ回路１０５からは、これに供給されたビデオ信号およびオーディオ信号のうちの任意のビデオ信号およびオーディオ信号が選択されて取り出され、この取り出されたビデオ信号およびオーディオ信号がライン出力端子１０６に出力される。このライン出力端子１０６に出力されたビデオ信号およびオーディオ信号は、ケーブル２１０を通じて大画面表示装置２００に供給される。
【００２６】
また、セレクタ回路１０５からは、ライン出力端子１０６に出力されたビデオ信号およびオーディオ信号と、同じあるいは別のビデオ信号およびオーディオ信号が選択されて取り出され、この取り出されたビデオ信号およびオーディオ信号がエンコーダ回路１１１に供給されてＡ／Ｄ変換されるとともに、例えばＭＰＥＧ方式の信号にデータ圧縮される。そして、この圧縮信号が送信回路１１２に供給されて所定の送信信号とされ、この送信信号がアンテナ１１３に供給されて可搬型表示装置３００へと送信される。
【００２７】
また、可搬型表示装置３００からリモコンのコマンド信号が送信されてくると、これがアンテナ１１３により受信され、この受信信号が受信回路１１４に供給されてもとのリモコンのコマンド信号が取り出され、このコマンド信号がマイクロコンピュータ１３０に供給される。
【００２８】
そして、チューナ回路１０２、１０３およびセレクタ回路１０５は、マイクロコンピュータ１３０により、可搬型表示装置３００から送信されてきたコマンド信号にしたがって制御され、そのコマンド信号にしたがった動作あるいは状態とされる。したがって、ベース装置１００は可搬型表示装置３００によりリモコンされることになる。
【００２９】
(3) 大画面表示装置２００の構成例
大画面表示装置２００は、上述のように、その表示部２０１が例えば大型のプラズマディスプレイにより構成されるとともに、スピーカ２０２を有する。そして、ベース装置１００からケーブル２１０を通じてビデオ信号およびオーディオ信号が供給されると、そのビデオ信号が表示部２０１の大画面に映像として表示されるとともに、オーディオ信号がスピーカ２０２から再生音として出力される。
【００３０】
(4) 可搬型表示装置３００の例
図３は、可搬型表示装置３００の一例を示し、これはシステム制御用としてマイクロコンピュータ３３０を有する。このマイクロコンピュータ３３０は、各種のプログラムを実行するＣＰＵ３３１と、そのプログラムの書き込まれているＲＯＭ３３２と、ワークエリア用のＲＡＭ３３３とを有し、これらメモリ３３２、３３３はシステムバス３３９を通じてＣＰＵ３３１に接続されている。
【００３１】
さらに、マイクロコンピュータ３３０は、不揮発性メモリ３３４と、操作キー３３５と、グラフィックコントロール回路３３６とを有し、これらもバス３３９に接続されている。この場合、メモリ３３４は、可搬型表示装置３００の電源をオフにしたときでも、必要なデータを保持しておくためのものであり、操作キー３３５は、主として可搬型表示装置３００に動作の指示を与えるためのものであり、電源スイッチやチャンネル切り換えスイッチなどである。
【００３２】
また、グラフィックコントロール回路３３６は、図示はしないが、ビデオＲＡＭなどを有し、このマイクロコンピュータ３３０が処理した静止画や動画あるいはテキストファイルなどのデジタルデータを表示用のデジタルビデオ信号に変換して出力するものである。
【００３３】
そして、ベース装置１００からの送信信号がアンテナ３０１により受信されてチューナ回路３０２に供給され、チューナ回路３０２からは圧縮信号が取り出され、この圧縮信号がデコーダ回路３０３に供給されてもとのビデオ信号およびオーディオ信号にデコードされる。そして、このデコードされたビデオ信号が映像処理回路３０６に供給され、表示用の信号処理およびＤ／Ａ変換などの処理が実行されてからＬＣＤ３０５に供給される。
【００３４】
また、グラフィックコントロール回路３３６からＯＳＤ用のビデオ信号が出力されると、そのビデオ信号が映像処理回路３０４に供給されて本来のビデオ信号に合成される。さらに、デコーダ回路３０３によりデコードされたオーディオ信号が音声処理回路３０６に供給されてＤ／Ａ変換などの処理が実行されてからスピーカ３０７に供給される。
【００３５】
さらに、ＬＣＤ３０５の表示面には、透明のタッチパネル３３７が積層され、その出力が座標検出回路３３８に供給される。そして、タッチパネル３３７に指やタッチペンなどが触れたとき、その座標が検出回路３３８により検出され、その検出出力がマイクロコンピュータ３３０に供給される。
【００３６】
すると、マイクロコンピュータ３３０は、その検出出力からタッチパネル３３７に描かれたパターンを判別してコマンド信号に変換する。そして、そのコマンド信号は送信回路３０８に供給されて送信信号とされ、この送信信号がアンテナ３０１に供給されてベース装置１００へと送信される。したがって、上述のように、ベース装置１００は可搬型表示装置３００から送信されてきたコマンド信号にしたがった動作あるいは状態となり、すなわち、ベース装置１００は可搬型表示装置３００によりリモコンされたことになる。
【００３７】
また、このとき、ベース装置１００から送信されてきたビデオ信号がＬＣＤ３０５に画像として表示されるとともに、オーディオ信号がスピーカ３０７から再生音として出力される。
【００３８】
(5) 機能および処理の例
チューナ回路１０２、１０３から出力されるビデオ信号、および外部映像機器からライン入力端子１０４を通じて供給されるビデオ信号は、セレクタ回路１０５に供給される。また、ケーブル１２１を通じてネットワークを使用している場合、そのデータがマイクロコンピュータ１３０により処理され、グラフィックコントロール回路１３５からビデオ信号として出力されてセレクタ回路１０５に供給される。
【００３９】
そして、可搬型表示装置３００によりベース装置１００をリモコンすると、セレクタ回路１０５は、可搬型表示装置３００からのコマンド信号にしたがってマイクロコンピュータ１３０により制御され、この結果、以下に述べるように、例えばピクチャ・イン・ピクチャと同様の機能を実行させることができる。
【００４０】
(5-1) ２画面機能
セレクタ回路１０５から任意の第１および第２のビデオ信号が出力され、大画面表示装置２００および可搬型表示装置３００に供給される。したがって、大画面表示装置２００および可搬型表示装置３００には、第１および第２のビデオ信号による画面をそれぞれ独立に表示することができる。なお、このとき、オーディオ信号も同様に選択され、大画面表示装置２００および可搬型表示装置３００から再生される。
【００４１】
(5-2) 同一画面機能
セレクタ回路１０５から出力される第１および第２のビデオ信号を同一のビデオ信号とすることにより、大画面表示装置２００に表示されていた画面を、可搬型表示装置３００にも表示することができる。あるいは可搬型表示装置３００に表示されていた画面を、大画面表示装置２００にも表示することができる。
【００４２】
(5-3) 画面の交換
(5-1)の２画面の状態にあるとき、大画面表示装置２００に供給される第１のビデオ信号と、可搬型表示装置３００に供給される第２のビデオ信号とを入れ換えることにより、大画面表示装置２００に表示されている画面と、可搬型表示装置３００に表示されている画面とを交換することができる。
【００４３】
(6) 描画されたパターンの認識方法の例
図４は、タッチパネル３３７に描画されたパターンを認識する方法の一例を示す。すなわち、図４Ａにおいて、曲線ＱUSRはユーザがタッチパネル３３７に指やタッチペンでパターンを描いたときの軌跡を示す。なお、この軌跡ＱUSRが入力されつつあるとき、その入力位置の座標を検出回路３３８により検出し、グラフィックコントロール回路３３６によりＬＣＤ３０５の対応する位置にドットを表示すれば、軌跡ＱUSRがパターンＰRCGとして表示されることになる。また、このパターンＰRCGは、大画面表示装置２００にも表示することができる。
【００４４】
そして、軌跡ＱUSRが入力されつつあるとき、サンプル点Ｑ1、Ｑ2、・・・、Ｑnを抽出する。このサンプル点Ｑ1〜Ｑnの抽出は、一定の時間ごとに、あるいは一定の距離ごとに行う。
【００４５】
一方、ベース装置１００に対して用意されているリモコン操作（コマンド）が例えば操作Ａ、Ｂ、Ｃの３種類であり、その操作Ａ〜Ｃに対応するパターンが例えば図４Ｂに示すようなパターンＰA、ＰB、ＰCであるとするとき、このパターンＰA〜ＰCをあらかじめ登録しておく。この登録は、パターンＰA〜ＰCに対してサンプル点Ｒ1、Ｒ2、・・・、Ｒmを抽出することにより実現される。なお、サンプル点Ｒ1〜Ｒmの抽出は、サンプル点Ｑ1〜Ｑnに対する抽出と同じ方法とされる。
【００４６】
そして、ユーザの入力した軌跡ＱUSRのサンプル点Ｑ1〜Ｑnと、登録パターンＰA〜ＰCのサンプル点Ｒ1〜Ｒmとのマッチングを行い、登録パターンＰA〜ＰCのうち、軌跡ＱUSRにもっともマッチングしたパターンが、軌跡ＱUSRを認識した結果のパターンとされる。
【００４７】
(7-1) パターン入力の支援（その１）
これは、軌跡の入力中に、その軌跡に対応するパターンを予測して表示する場合である。すなわち、図５において、曲線ＱUSRはユーザがタッチパネル３３７に指やタッチペンでパターンを描いたときの軌跡を示す。ただし、この軌跡ＱUSRはＬＣＤ３０５に表示されない。
【００４８】
そして、軌跡ＱUSRを形成しつつあるとき、その軌跡が登録パターンＰA〜ＰCのうち、どのパターンにもっとも近いかが判別ないし予測され、その予測されたパターンがパターンＰRCGとしてＬＣＤ３０５に表示される。なお、軌跡ＱUSRの形成につれて予測されるパターンが変化するときは、表示されるパターンＰRCGは対応して変更される。
【００４９】
図６に示すルーチン４００は、入力されつつある軌跡ＱUSRからパターンＰRCGを予測して表示するとともに、対応するコマンド信号を形成するようにした場合の一例である。このルーチン４００はＲＯＭ３３２に用意され、ＣＰＵ３３１により以下のように実行される。
【００５０】
すなわち、タッチパネル３３７に指などが触れると、ＣＰＵ３３１の処理がルーチン４００のステップ４０１からスタートし、次にステップ４０２において、サンプル点Ｑi（i＝1〜nのどれか）の抽出が行われる。なお、後述から明らかになるが、ステップ４０２は繰り返し実行されるので、サンプル点Ｑ1、Ｑ2、Ｑ3、・・・が順に抽出されていくことになり、すなわち、ユーザがパターンを描画したときの軌跡ＱUSRが入力されていくことになる。
【００５１】
続いて、ステップ４０３において、(6)に示した方法により、ステップ４０２により入力された軌跡ＱUSR（予測されるパターンＰRCG）と登録パターンＰA〜ＰCとのパターンマッチングが行われ、ステップ４０４において、ステップ４０３のマッチングの結果として登録パターンＰA〜ＰCに、入力された軌跡ＱUSRから予測されるパターンＰRCGがあるかどうかが判別される。
【００５２】
そして、予測されるパターンＰRCGがないときには、処理はステップ４０４からステップ４０５に進み、このステップ４０５において、登録パターンＰA〜ＰCのうち、現時点までに入力された軌跡ＱUSRから今後候補となり得るパターンを抽出する処理が実行され、ステップ４０６において、候補となり得るパターンを抽出できたかどうかが判別される。
【００５３】
そして、候補となり得るパターンを抽出できたときには、処理はステップ４０６からステップ４０７に進み、その候補となり得るパターンがＬＣＤ３０５に表示され、その後、処理はステップ４０２に戻る。
【００５４】
したがって、タッチパネル３３７に触れると、その軌跡ＱUSRが入力されていくとともに、候補となり得るパターンがＬＣＤ３０５に表示されていくことになる。また、このとき、ユーザの軌跡ＱUSRの入力が進むにつれて候補となり得るパターンが、それまでの候補となり得るパターンとは異なるときには、最新の候補となり得るパターンが表示されることになる。
【００５５】
こうして、軌跡ＱUSRを入力していくうちに、登録パターンＰA〜ＰCの中に、入力された軌跡ＱUSRに対応するパターンＰRCGがあるときには、これがステップ４０４により検出され、処理はステップ４０４からステップ４１１に進む。そして、このステップ４１１において、そのパターンＰRCGに対応するコマンド信号が形成され、以後、そのコマンド信号に対応した処理が実行される。
【００５６】
また、軌跡ＱUSRを入力していっても、候補となり得るパターンが抽出されないときには、処理はステップ４０６からステップ４１２に進み、タッチパネル３３７への描画が不適切であることがＬＣＤ３０５に表示され、その後、ステップ４１３によりルーチン４００を終了する。
【００５７】
したがって、このルーチン４００によれば、軌跡ＱUSRの入力中に、その軌跡ＱUSRに対応するパターンを予測して表示することができる。
【００５８】
(7-2) パターン入力の支援（その２）
これは、例えば図７に示すように、軌跡の入力中に、その軌跡から予測されるパターンの方向成分だけを表示する場合である。すなわち、図７において、曲線ＱUSRはユーザがタッチパネル３３７に指やタッチペンでパターンを描いたときの軌跡を示す。ただし、この軌跡ＱUSRはＬＣＤ３０５に表示されない。
【００５９】
そして、軌跡ＱUSRを形成しつつあるとき、その軌跡が、例えば図８に示す登録パターンＰX、ＰYのうち、どのパターンに近いかが判別ないし予測され、その予測結果にしたがって、軌跡ＱUSRが水平方向の矢印ＰRCGXおよび垂直方向の矢印ＰRCGYとしてＬＣＤ３０５に表示される。なお、このとき、登録パターンＰXが操作Ｘに対応し、登録パターンＰYが操作Ｙに対応するとすれば、矢印ＰRCGXの近傍には、操作Ｘを示す文字（数字、記号を含む。以下同様）「操作Ｘ」が表示され、矢印ＰRCGYの近傍には、操作Ｙを示す文字「操作Ｙ」が表示される。
【００６０】
(7-3) パターン入力の支援（その３）
これは、ユーザが軌跡ＱUSRを入力しても、ユーザが意図したと思われるパターンを表示することができなかった場合の処理である。すなわち、ユーザの入力した軌跡ＱUSRを判別することができなかった場合には、ＬＣＤ３０５には、例えば図９に示すように、ユーザの入力した軌跡ＱUSRがパターンＰUSRとして表示されるとともに、その軌跡ＱUSRから予想される（ユーザが意図したと思われる）登録パターンＰRCGが表示される。
【００６１】
したがって、この場合には、パターンＰRCGがユーザの描いたパターンＰUSRに対する標準ないし基準となるので、ユーザは、入力した軌跡ＱUSRにくせなどがあってパターンＰRCGとの間にずれがあるとき、これを知ることができる。
【００６２】
図１０に示すフローチャートのルーチン５００は、そのような処理を実行するようにした場合の一例である。このルーチン５００はＲＯＭ３３２に用意され、ＣＰＵ３３１により以下のように実行される。
【００６３】
すなわち、このルーチン５００においては、まず、軌跡ＱUSRの入力によりルーチン４００が実行される。そして、上述のように、軌跡ＱUSRを入力していっても、候補となり得るパターンが抽出されないときには、処理はステップ４０６からステップ５０１に進み、このステップ５０１において、登録パターンＰA〜ＰCのうち、ユーザの入力した軌跡ＱUSRにもっとも近いと認識される登録パターンの抽出が実行され、その後、ステップ５０２において、ステップ５０１により候補となり得るパターンＰRCGを抽出できたかどうかが判別される。
【００６４】
そして、候補となり得るパターンＰRCGを抽出できたときには、処理はステップ５０２からステップ５１１に進み、そのパターンＰRCGがＬＣＤ３０５に表示されるとともに、軌跡ＱUSRの位置にドットを表示することにより対応するパターンＰUSRも表示される。
【００６５】
また、ステップ５０１において、候補となり得るパターンＰRCGを抽出できなかったときには、処理はステップ５０２からステップ５１２に進み、ＬＣＤ３０５にエラーが表示され、ステップ５１３によりルーチン５００を終了する。なお、ステップ５０１により抽出したパターンに、候補となり得るパターンＰRCGが複数ある場合には、それらのパターンを重ねて表示する、並べて表示する、所定の時間ごとに切り換えて表示するなどの方法を採ることができる。
【００６６】
したがって、このルーチン５００によれば、ユーザは、候補のパターンＰRCGを標準ないし基準として、入力した軌跡ＱUSRのくせなどを知ることができる。
【００６７】
(7-4) パターン認識の支援（その４）
これも、ユーザの入力した軌跡ＱUSRを判別できなかった場合の処理である。そして、この例においては、ユーザの入力した軌跡ＱUSRを判別することができなかった場合、ＬＣＤ３０５には、例えば図１１に示すように、代替入力手段として、ＬＣＤ３０５にソフトウェアボタン（アイコン）ＳＷA、ＳＷB、ＳＷCが表示される。
【００６８】
また、これらソフトウェアボタンＳＷA〜ＳＷCには、そのソフトウェアボタンＳＷA〜ＳＷCがそれぞれ対応する操作の名称「操作Ａ」〜「操作Ｃ」が表示される。そして、例えばソフトウェアＳＷAにユーザの指などが触れると、ソフトウェアボタンＳＷAに割り当てられている操作Ａの処理が実行される。
【００６９】
したがって、この場合には、ユーザは、入力した軌跡ＱUSRにくせなどがあってパターンの認識に失敗したときでも、ベース装置１００の操作を行うことができる。
【００７０】
図１２に示すフローチャートのルーチン６００は、そのような処理を実行するようにした場合の一例である。このルーチン６００はＲＯＭ３３２に用意され、ＣＰＵ３３１により以下のように実行される。
【００７１】
すなわち、ルーチン４００による軌跡ＱUSRの認識処理が所定の回数だけ行われると、ルーチン６００がステップ６０１からスタートし、次にステップ６０２において、ルーチン４００における軌跡ＱUSRの認識の成功率（＝正しく認識された回数／ルーチン４００の実行回数）が算出され、ステップ６０３において、ステップ６０２により求めた成功率が規定値以上であるかどうかが判別される。
【００７２】
そして、成功率が規定値以上のときには、処理はステップ６０３からステップ６１１に進み、このステップ６１１により何もしないでルーチン６００を終了する。しかし、成功率が規定値未満のときには、処理はステップ６０３からステップ６１２に進み、このステップ６１２により例えば図９に示すように、代替入力手段として、ＬＣＤ３０５にソフトウェアボタンＳＷA〜ＳＷCが表示され、以後、このボタンＳＷA〜ＳＷCによる入力が可能とされる。
【００７３】
したがって、このルーチン６００によれば、ユーザの入力した軌跡ＱUSRにくせなどがあってパターンの認識に失敗したときでも、ベース装置１００の操作を行うことができる。
【００７４】
(7-5) パターン認識の支援（その５）
これは、任意の操作に対してユーザがパターンを登録できるようにした場合である。
【００７５】
図１３に示すフローチャートのルーチン７００は、そのような処理を実行するための一例である。このルーチン７００はＲＯＭ３３２に用意され、ＣＰＵ３３１により以下のように実行される。
【００７６】
すなわち、ルーチン７００の処理はステップ７０１からスタートし、次にステップ７０２において、軌跡ＱUSRの入力が行われる。続いて、ステップ７０３において、ステップ７０２により入力された軌跡ＱUSRと登録パターンＰA〜ＰCとのパターンマッチングが行われ、ステップ７０４において、ステップ７０３のマッチングの結果として登録パターンＰA〜ＰCに、入力された軌跡ＱUSRに対応するパターンＰRCGがあるかどうかが判別される。
【００７７】
そして、対応するパターンＰRCGがないときには、処理はステップ７０４からステップ７１１に進み、このステップ７１１において、ステップ７０２により入力された軌跡ＱUSRが新規な登録パターンとしてメモリ１３４に登録される。また、ステップ７０４において、入力された軌跡ＱUSRに対応するパターンＰRCGがあるときには、処理はステップ７０４からステップ７１２に進み、このステップ７１２において、ＬＣＤ３０５に例えば登録済みのメッセージが表示され、その後、ステップ７１３によりルーチン７００を終了する。
【００７８】
したがって、このルーチン７００によれば、ユーザの入力した軌跡ＱUSRにくせなどがあって軌跡の入力に失敗するようなとき、あるいはあらかじめ設定されている登録パターンが描きにくいようなとき、ユーザは自分にとって都合のよいパターンを登録して使用することができる。
【００７９】
(8) その他
上述において、可搬型表示装置３００からベース装置１００および大画面表示装置２００をリモコンするとき、それぞれを単体で、あるいは各機器を連動してリモコンすることができる。
【００８０】
また、例えばベース装置１００にＨＤＤなどにより構成されたビデオ信号の記録再生装置が設けられている場合、あるいは接続されている場合、例えば、タッチパネル３３７に水平線を描いたとき、その水平線を描いた方向により映像の再生方向（正方向あるいは逆方向）を指示すると同時に、その水平線を描いたときの速度や長さにより映像の再生速度（スロー再生、高速再生など）を指示することもできる。
【００８１】
さらに、ユーザの入力した軌跡ＱUSRを判別することができなかった場合、上述においては、ソフトウェアボタンＳＷA〜ＳＷCを代替入力手段としたが、例えば音声による操作を可能とすることもでき、音声入力を受け付ける旨を画面表示あるいは音声出力により示すこともできる。
【００８２】
また、可搬型表示装置３００を複数のユーザで共用する場合、ユーザごとに軌跡ＱUSRの認識の成功率を求めたり、登録パターンの登録を可能としたりすることもできる。さらに、認識に失敗するパターンに対して類似した軌跡が多い場合には、その軌跡を登録パターンとすることもできる。
【００８３】
さらに、上述においては、ベース装置１００に供給された信号を、大画面表示装置２００および可搬型表示装置３００に分配した場合であるが、信号の分配ないし切り換えのための処理をベース装置１００において行い、実際の信号の供給はネットワークに接続された別のベース装置から行うこともできる。また、上述において、ベース装置１００と大画面表示装置２００とは一体とすることもでき、またはネットワークを通じて接続することもできる。
【００８４】
また、大画面表示装置２００は、ＬＡＮケーブル１２１を経由して外部からビデオ信号などのデジタルデータを取得して表示することもできる。さらに、上記のように複数のベース装置が連携して映像の制御あるいは画面の切り換えなどを行う場合、その制御信号の送受信はＬＡＮケーブル１２１を通じてを行うことができる。
【００８５】
さらに、上述においては、パターンの入力手段が接触感圧式のタッチパネル３３７の場合であるが、接触感圧式以外にも、例えばコイルあるいは磁石などを内蔵した専用ペンによる電磁誘導式の操作パネルとすることもできる。また、赤外線リモコンやビデオカメラを使用したパターン認識による非接触のパターン入力操作も可能である。
【００８６】
〔この明細書で使用している略語の一覧〕
Ａ／Ｄ  ：Analog to Digital
ＣＰＵ  ：Central Processing Unit
Ｄ／Ａ  ：Digital to Analog
ＨＤＤ  ：Hard Disk Drive
ＩＥＥＥ：Institute of Electrical and Electronics Engineers
ＬＡＮ  ：Local Area Network
ＬＣＤ  ：Liquid Crystal Display
ＬＥＤ  ：Light Emitting Diode
ＭＰＥＧ：Motion Picture Image Coding Experts Group
ＯＳＤ  ：On Screen Display
ＲＡＭ  ：Random Access Memory
ＲＯＭ  ：Read Only Memory
リモコン：Remote Control
【図面の簡単な説明】
【００８７】
【図１】この発明の一形態を示す説明図である。
【図２】この発明の一形態を示す系統図である。
【図３】この発明の一形態を示す系統図である。
【図４】この発明を説明するための図である。
【図５】この発明を説明するための図である。
【図６】この発明の一形態を示すフローチャートである。
【図７】この発明を説明するための図である。
【図８】この発明を説明するための図である。
【図９】この発明を説明するための図である。
【図１０】この発明の一形態を示すフローチャートである。
【図１１】この発明を説明するための図である。
【図１２】この発明の一形態を示すフローチャートである。
【図１３】この発明の一形態を示すフローチャートである。
【符号の説明】
【００８８】
１００…ベース装置、１０２および１０３…チューナ回路、１０５…セレクタ回路、１１１…エンコーダ回路、１１２…送信回路、１１４…受信回路、１３０…マイクロコンピュータ、２００…大画面表示装置、２０１…表示部、２０２…スピーカ、３００…可搬型表示装置、３０２…受信回路、３０３…デコーダ回路、３０４…映像処理回路、３０５…ＬＣＤ、３０６…音声処理回路、３０７…スピーカ、３３０…マイクロコンピュータ、３３７…タッチパネル、３３８…座標検出回路
【図１】
2005038306.tif 000003
【図２】
2005038306.tif 000004
【図３】
2005038306.tif 000005
【図４】
2005038306.tif 000006
【図５】
2005038306.tif 000007
【図６】
2005038306.tif 000008
【図７】
2005038306.tif 000009
【図８】
2005038306.tif 000010
【図９】
2005038306.tif 000011
【図１０】
2005038306.tif 000012
【図１１】
2005038306.tif 000013
【図１２】
2005038306.tif 000014
【図１３】
2005038306.tif 000015